(57)【特許請求の範囲】
【請求項１】
タッチスクリーンパネルを持つ装置であって、
前記装置の動きまたは振動を感知するタッチイベント検出部と、
前記タッチイベント検出部からの入力に少なくとも部分的に基づいて、前記タッチスクリーンパネルのタッチ感知機能をアクティブ化または非アクティブ化する処理回路と
を備え、
前記処理回路は、前記タッチイベント検出部からの前記入力に基づき、ユーザが前記タッチスクリーンパネルとのやり取りを開始する直前であると判断し、ユーザが前記タッチスクリーンパネルとのやり取りを開始する直前であると判断すると、前記処理回路は、さらに
前記タッチスクリーンパネルの前記タッチ感知機能を部分的にアクティブ化し、
前記タッチスクリーンパネルとユーザとの間のやり取りが検出されると、前記タッチスクリーンパネルの前記タッチ感知機能を完全にアクティブ化する装置。
【請求項２】
前記処理回路は、前記タッチイベント検出部からの前記入力の少なくとも第１の部分に基づき、ユーザが前記タッチスクリーンパネルとのやり取りを開始する直前であると判断し、
前記処理回路はさらに、前記タッチイベント検出部からの前記入力の少なくとも第２の部分に基づき、ユーザの１以上のタップと他の振動および動きとを区別することによって、前記タッチスクリーンパネルとユーザとの間のやり取りを検出する請求項１に記載の装置。
【請求項３】
前記処理回路はさらに、前記タッチイベント検出部からの前記入力の前記少なくとも第２の部分が比較的短時間の間で単一指向ベクトルで比較的小さく変化するか否かを判断することによって、ユーザのタップと他の振動および動きとを区別する請求項２に記載の装置。
【請求項４】
前記タッチスクリーンパネルに結合されているタッチサブシステムをさらに備え、
前記処理回路は、前記タッチイベント検出部からの前記入力に少なくとも部分的に基づいて、前記タッチサブシステムをアクティブ化または非アクティブ化することによって、前記タッチスクリーンパネルの前記タッチ感知機能をアクティブ化または非アクティブ化し、
前記タッチサブシステムが非アクティブ化されている場合、
前記処理回路は、前記タッチイベント検出部からの前記入力の前記少なくとも第２の部分を処理して、前記タッチスクリーンパネルとユーザとの間のやり取りがあると判断し、
前記処理回路は、前記入力の前記少なくとも第２の部分の前記処理に基づいて前記タッチスクリーンパネルとユーザとの間にやり取りがあると判断すると、前記タッチサブシステムをアクティブ化する請求項２または３に記載の装置。
【請求項５】
前記タッチサブシステムがアクティブである場合、前記処理回路は、
前記タッチスクリーンパネルとユーザとのやり取りを検出し、
ユーザとのやり取りが検出されている間は、前記タッチサブシステムを非アクティブ化せず、
前記タッチスクリーンパネルとユーザとの間のやり取りが少なくとも所定時間にわたって検出されない場合、前記タッチサブシステムを非アクティブ化する請求項４に記載の装置。
【請求項６】
前記タッチサブシステムを非アクティブ化するべく、前記処理回路は、前記タッチサブシステムのマイクロコントローラにスリープ状態になるように指示し、
前記マイクロコントローラは、前記処理回路が前記タッチサブシステムをアクティブ化すると、割り込みによってアクティブ化される請求項４または５に記載の装置。
【請求項７】
前記処理回路は、前記タッチイベント検出部からの前記入力の前記少なくとも第１の部分において短時間の間に比較的大きな前記動きの変化が検出されると、ユーザが前記タッチスクリーンパネルとのやり取りを開始する直前であると判断する請求項２から６のいずれか一項に記載の装置。
【請求項８】
前記処理回路は、前記ユーザが前記タッチスクリーンパネルとのやり取りを開始する直前であると判断すると、さらにタイマをセットし、
前記処理回路は、
前記タイマが切れる前に前記タッチスクリーンパネルとユーザとの間のやり取りが検出される場合、前記タッチスクリーンパネルの前記タッチ感知機能を完全にアクティブ化して、
前記タイマが切れるまでに前記タッチスクリーンパネルとユーザとの間のやり取りが検出されない場合、前記タッチスクリーンパネルの前記タッチ感知機能を非アクティブ化する請求項１から７のいずれか一項に記載の装置。
【請求項９】
前記タッチイベント検出部は、１以上の加速度計を有する請求項１から８のいずれか一項に記載の装置。
【請求項１０】
前記タッチイベント検出部は、落下を検出して、自動ディスク退避を可能とするためにも利用される加速度計を有する請求項１から９のいずれか一項に記載の装置。
【請求項１１】
前記タッチスクリーンパネルは、静電容量タッチスクリーンパネルであり、
前記タッチサブシステムは、
前記タッチスクリーンパネルの一部分に電荷を印加する電荷注入回路と、
前記タッチスクリーンパネルとユーザとのやり取りに起因して発生する前記タッチスクリーンパネルの一部分における電荷の変化を検出する電荷感知回路と、
前記電荷注入回路および前記電荷感知回路にスキャンを実行させて、前記電荷感知回路が示す前記タッチスクリーンパネルの一部分で検出された前記電荷の変化に基づきデータを生成するマイクロコントローラと
を有し、
前記処理回路は、前記マイクロコントローラに指示して前記電荷注入回路および前記電荷感知回路による前記タッチスクリーンパネルのスキャンを禁止させることによって、前記タッチサブシステムを非アクティブ化する請求項４から６のいずれか一項に記載の装置。
【請求項１２】
前記処理回路は、前記マイクロコントローラにスリープ状態になるように指示することによって、前記タッチサブシステムを非アクティブ化する請求項１１に記載の装置。
【請求項１３】
タッチスクリーン非アクティブ指標は、前記タッチスクリーンパネルの前記タッチ感知機能が非アクティブ化されている場合にその旨を示すべく利用される請求項１から１２のいずれか一項に記載の装置。
【請求項１４】
前記タッチスクリーン非アクティブ指標は、前記タッチスクリーンパネルのスクリーンの端縁に沿って設けられているアルファブレンディング帯状領域を含む請求項１３に記載の装置。
【請求項１５】
タッチスクリーンパネルを持つ装置において電力を管理する方法であって、
前記装置の動きまたは振動を感知するタッチイベント検出部からの入力に少なくとも部分的に基づいて、ユーザが前記タッチスクリーンパネルとのやり取りを開始する直前であると判断する段階と、
ユーザが前記タッチスクリーンパネルとのやり取りを開始する直前であると判断すると、前記タッチスクリーンパネルのタッチ感知機能を部分的にアクティブ化し、前記タッチスクリーンパネルとユーザとの間のやり取りが検出されると、前記タッチスクリーンパネルの前記タッチ感知機能を完全にアクティブ化する段階と
を備える方法。
【請求項１６】
ユーザが前記タッチスクリーンパネルとのやり取りを開始する直前であるとの前記判断は、前記タッチイベント検出部からの前記入力の少なくとも第１の部分に少なくとも部分的に基づき、
前記タッチスクリーンパネルとユーザとの間のやり取りは、前記タッチイベント検出部からの前記入力の少なくとも第２の部分に基づき、ユーザの１以上のタップと前記タッチイベント検出部が感知するほかの振動および動きとを区別することによって検出される請求項１５に記載の方法。
【請求項１７】
前記タッチイベント検出部からの前記入力の前記少なくとも第２の部分が比較的短時間の間に単一指向ベクトルで比較的小さく変化するか否かを判断することによって、ユーザのタップと他の振動および動きとが区別される請求項１６に記載の方法。
【請求項１８】
前記タッチスクリーンパネルは、静電容量タッチスクリーンパネルであり、
電荷注入回路および電荷感知回路による前記タッチスクリーンパネルのスキャンを禁止するようにマイクロコントローラに指示して、前記タッチスクリーンパネルの前記タッチ感知機能を非アクティブ化する段階
をさらに備える請求項１５から１７のいずれか一項に記載の方法。
【請求項１９】
前記タッチスクリーンパネルの前記タッチ感知機能を非アクティブ化する段階は、スリープ状態になるように前記マイクロコントローラに指示する段階を有する請求項１８に記載の方法。
【請求項２０】
無線通信装置であって、
タッチスクリーンパネルと、
前記無線通信装置の動きまたは振動を感知するタッチイベント検出部と、
前記タッチイベント検出部からの入力に少なくとも部分的に基づいて、前記タッチスクリーンパネルのタッチ感知機能をアクティブ化または非アクティブ化する処理回路と、
前記処理回路に結合されている無線送受信器と
を備え、
前記処理回路は、前記タッチイベント検出部からの入力に基づき、ユーザが前記タッチスクリーンパネルとのやり取りを開始する直前であると判断し、ユーザが前記タッチスクリーンパネルとのやり取りを開始する直前であると判断すると、前記処理回路は、さらに、
前記タッチスクリーンパネルの前記タッチ感知機能を部分的にアクティブ化し、
前記タッチスクリーンパネルとユーザとの間のやり取りが検出されると、前記タッチスクリーンパネルの前記タッチ感知機能を完全にアクティブ化する無線通信装置。
【請求項２１】
前記処理回路は、前記ユーザが前記タッチスクリーンパネルとのやり取りを開始する直前であると判断すると、さらにタイマをセットし、
前記処理回路は、
前記タイマが切れる前に前記タッチスクリーンパネルとユーザとの間のやり取りが検出される場合、前記タッチスクリーンパネルの前記タッチ感知機能を完全にアクティブ化して、
前記タイマが切れるまでに前記タッチスクリーンパネルとユーザとの間のやり取りが検出されない場合、前記タッチスクリーンパネルの前記タッチ感知機能を非アクティブ化する請求項２０に記載の無線通信装置。
【請求項２２】
前記処理回路は、前記タッチイベント検出部からの前記入力の少なくとも第１の部分に基づき、ユーザが前記タッチスクリーンパネルとのやり取りを開始する直前であると判断し、
前記処理回路は、前記タッチイベント検出部からの前記入力の少なくとも第２の部分が比較的短時間の間に単一指向ベクトルにおいて比較的小さく変化しているか否かを判断することによって、ユーザの１以上のタップと他の振動および動きとを区別することによって、前記タッチスクリーンパネルとユーザとの間のやり取りを検出する請求項２０または２１に記載の無線通信装置。
【発明の詳細な説明】
【技術分野】
【０００１】
実施形態は、静電容量タッチスクリーンパネル等のタッチスクリーンパネルを備える装置に関する。一部の実施形態は、タッチスクリーンパネルを備える無線通信装置に関する。一部の実施形態は、タッチスクリーンパネルを備える装置、例えば、タッチスクリーンパネルを備える携帯通信装置における電力管理に関する。
【背景技術】
【０００２】
タッチスクリーンパネルを利用することにより、１回および複数回タッチすることによって、ユーザと装置とのやり取りが可能となる。静電容量タッチスクリーンパネルでは表面型静電容量方式の界面を利用してユーザの入力を検出する。しかし、表面型静電容量方式の界面は、パネル全面にわたって順次実施される各スキャンサイクルで充放電が活発に行なわれるので、電力が不足する可能性がある。結果として生成されるデータは、信号処理アルゴリズムで処理されて、ユーザが何を意図しているかを決定する。このようなスキャンサイクルの実施は、特にユーザがタッチスクリーンパネルとやり取りを行なっていない間は、エネルギーの浪費につながる場合がある。エネルギー浪費は、電池に電力供給を依存している携帯通信装置の場合に特に問題である。
【０００３】
このため、低消費電力型のタッチスクリーンパネルを備える装置およびタッチスクリーンパネルを備える装置において電力を管理する方法が概して必要とされている。
【図面の簡単な説明】
【０００４】
【図１】一部の実施形態に係るタッチスクリーンパネルを備える装置を示す図である。
【図２】一部の実施形態に係る電力管理手順を説明するための図である。
【発明を実施するための形態】
【０００５】
以下に記載する説明および図面は、当業者が実施できるように具体的な実施形態を十分に説明している。その他の実施形態では、構造、論理、電気構成、処理等を変更するとしてもよい。一部の実施形態の構成要素および特徴は、他の実施形態の構成要素および特徴に含まれるとしてもよいし、または、それらに代えて用いられるとしてもよい。特許請求の範囲に記載されている実施形態は、請求項の均等物全てを含むものとする。
【０００６】
図１は、一部の実施形態に係るタッチスクリーンパネル１０２を備える装置１００を示す図である。タッチスクリーンパネル１０２のタッチ感知機能は、タッチスクリーンパネル１０２とユーザとのやり取りが検出されると、アクティブ化されるとしてよい。タッチスクリーンパネル１０２のタッチ感知機能は、ユーザとのやり取りが検出されない場合には、非アクティブ化されるとしてよい。一部の実施形態によると、装置１００は、動きまたは振動を感知するタッチイベント検出部１１２と、タッチイベント検出部１１２からの入力１１３に少なくとも部分的に基づいてタッチスクリーンパネル１０２のタッチ感知機能をアクティブ化または非アクティブ化する処理回路１２４とを備える。タッチイベント検出部１１２からの入力１１３は、ユーザとタッチスクリーンパネル１０２との間にやり取りがあるか否かを判断するべく処理回路１２４によって参照される。ユーザとのやり取りは、タッチイベントと呼ぶ。
【０００７】
上記の実施形態によると、処理回路１２４は、例えば、所定時間にわたってユーザとのやり取りが検出されない場合、タッチスクリーンパネル１０２のタッチ感知機能を非アクティブ化するとしてよい。処理回路１２４は、タッチイベント検出部１１２からの入力１１３がユーザとタッチスクリーンパネル１０２との間にやり取りがある旨を示すと、タッチスクリーンパネル１０２のタッチ感知機能をアクティブ化または再アクティブ化するとしてよい。
【０００８】
タッチスクリーンパネル１０２は、コンテンツおよびその他の情報を表示する表示部１０１を有するとしてよい。タッチスクリーンパネル１０２の表示部１０１は、能動型の表示部で、タッチスクリーンパネル１０２のタッチ感知機能がアクティブであるか否かに関わらず、コンテンツおよびその他の情報を表示可能であるとしてよい。一部の実施形態によると、表示部１０１が非アクティブである場合（つまり、省電力モードまたはスリープモードである場合）、タッチスクリーンパネル１０２のタッチ感知機能は非アクティブであるとしてよい。表示部１０１は、画像、アイコン、文字等を表示する高精細ディスプレイまたはグラフィカルディスプレイであってよい。
【０００９】
実施形態によると、ユーザがタッチスクリーンパネル１０２にタッチしていないか、または、タッチスクリーンパネル１０２とやり取りしていない場合、振動または動きは検出されず、タッチスクリーンパネル１０２のタッチ感知機能は非アクティブ化されるとしてよい。ユーザがタッチスクリーンパネル１０２にタッチしているか、または、タッチスクリーンパネル１０２とやり取りしている場合、振動および／または動きが検出され、タッチスクリーンパネル１０２のタッチ感知機能がアクティブ化されるとしてよい。ユーザとのやり取りが無いと判断されるとタッチスクリーンパネル１０２のタッチ感知機能は非アクティブになるので、装置１００の消費電力が大幅に削減され得る。以下でより詳細に説明するが、処理回路１２４は、入力１１３を処理して１以上のアルゴリズムを実行し、ユーザとのやり取りがあるか否かを判断するとしてよい。
【００１０】
一部の実施形態によると、処理回路１２４は、タッチイベント検出部１１２からの入力１１３がユーザがタッチスクリーンパネル１０２とのやり取りを開始する直前である旨を示す場合、タッチスクリーンパネル１０２のタッチ感知機能をアクティブ化するとしてよい。このような実施形態については、以下でより詳細に説明する。
【００１１】
図１に示すように、装置１００は、タッチサブシステム１０４と、格納サブシステム１０６と、演算サブシステム１０８とを備えるとしてよい。無線方式の実施形態の場合、装置１００は、無線通信装置であって、無線ネットワーク内で通信する、または、その他の無線装置と通信する無線送受信器１１０を備えるとしてよい。演算サブシステム１０８は、装置１００の動作を制御し、処理回路１２４およびメモリ１２６等を有するとしてよい。タッチサブシステム１０４は、タッチスクリーンパネル１０２の動作を制御し、タッチスクリーンパネル１０２から受け取ったユーザ入力を演算サブシステム１０８に供給するとしてよい。格納サブシステム１０６は、装置１００の内部に情報を格納するべく設けられているとしてよい。これらのサブシステムの動作および構成要素を、以下でより詳細に説明する。
【００１２】
一部の実施形態によると、処理回路１２４は、タッチイベント検出部１１２からの入力１１３を処理して、一連のユーザタップを含むユーザタップと、タッチイベント検出部１１２が感知するほかの振動および動きとを区別することによって、ユーザとタッチスクリーンパネル１０２とのやり取りがあるか否かを判断するとしてよい。このような実施形態によると、タッチイベント検出部１１２からの入力１１３が変動がほとんどない一定の信号または略一定の信号である場合、処理回路１２４は、装置１００が静止しているか、または、使用されていない旨を入力１１３が示すものと判断するとしてよい。このため、タッチスクリーンパネル１０２のタッチ感知機能をアクティブ化する必要はない。タッチイベント検出部１１２からの入力１１３は、長時間にわたって比較的大きな変化が見られる場合、装置が持ち運ばれているのでタッチスクリーンパネル１０２のタッチ感知機能をアクティブ化する必要はない旨を示すとしてよい。
【００１３】
一部の実施形態によると、処理回路１２４は、タッチイベント検出部１１２から受信する入力１１３が比較的短時間の間に単一指向ベクトルで比較的小さく変化するか否かを判断することによって、ユーザタップとその他の振動および動きとを区別するとしてよい。このような実施形態によると、ユーザタップまたは一連のユーザタップが検出されると、タッチスクリーンパネル１０２とユーザとの間にやり取りがあるので、タッチスクリーンパネル１０２のタッチ感知機能をアクティブ化する旨を示すとしてよい。
【００１４】
タッチサブシステム１０４を備える実施形態では、処理回路１２４は、タッチイベント検出部１１２からの入力１１３に少なくとも部分的に基づいて、タッチサブシステム１０４をアクティブ化または非アクティブ化することによって、タッチスクリーンパネル１０２のタッチ感知機能をアクティブ化または非アクティブ化するとしてよい。タッチサブシステム１０４は、非アクティブ化されている場合、スリープモードにあるか眠っていると考えられるとしてよい。タッチサブシステム１０４が非アクティブ化されている場合、処理回路１２４は、タッチイベント検出部１１２から受信する入力１１３を処理して、タッチスクリーンパネル１０２とユーザとの間にやり取りがあるか否かを判断して、入力の処理の結果、タッチスクリーンパネル１０２とユーザとの間にやり取りがあると判断するとタッチサブシステム１０４をアクティブ化するとしてよい。
【００１５】
一部の実施形態によると、処理回路１２４は、タッチサブシステム１０４がアクティブである場合（例えば、アクティブモードであり、スリープモードではなく、眠った状態ではない場合）、ユーザとタッチスクリーンパネル１０２との間のやり取り（つまり、タッチイベント）を検出して、ユーザとのやり取りが検出されている間はタッチサブシステム１０４を非アクティブ化しないとしてよい。処理回路１２４はさらに、少なくとも所定時間にわたってユーザとタッチスクリーンパネル１０２との間のやり取りが検出されない場合、タッチサブシステム１０４を非アクティブ化するとしてよい。このような実施形態によると、タッチサブシステム１０４は、アクティブである場合、タッチスクリーンパネル１０２のタッチ面を活発にスキャンするとしてよい。所定時間とは、例えば、１秒から３０秒の間の範囲内であるとしてよい。一部の実施形態によると、所定時間は、所定数のスキャンサイクルであるとしてよい。一部の実施形態によると、タッチイベントが検出されると、所定時間が経過すると切れるタイマをセットまたはリセットするとしてよい。
【００１６】
一部の実施形態によると、処理回路１２４は（つまり、タッチサブシステム１０４と共に）、ユーザとタッチスクリーンパネル１０２とのやり取りが少なくとも所定時間にわたって検出されない場合、スリープ状態または低電力状態になるように構成されるとしてよい。このような実施形態によると、タッチサブシステム１０４および処理回路１２４の両方の消費電力が少なくなるので、さらに消費電力が削減され得る。このような実施形態によると、処理回路１２４は、スリープ状態にある場合、タッチイベント検出部１１２またはその他の動き感知装置が生成する割り込みによってアクティブ化されるとしてよい。
【００１７】
一部の実施形態によると、処理回路１２４は、タッチイベント検出部１１２から受け取る入力１１３において短時間の間に比較的大きな動きの変化を検出し、タッチイベント検出部１１２から受け取る入力１１３によって、ユーザがタッチスクリーンパネル１０２とのやり取りを開始する直前である旨が示される場合、タッチスクリーンパネル１０２のタッチ感知機能をアクティブ化するとしてよい。短時間の間に比較的大きな動きの変化が検出されると、例えば、装置が使用位置に向けて動かされている最中である旨を示すとしてよい。処理回路１２４はさらに、タッチイベント検出部１１２から受け取る入力１１３において短時間の間に１つの軸に沿って比較的小さな動きの変化を検出し、タッチイベント検出部１１２から受け取る入力１１３によって、ユーザが現在タッチスクリーンパネル１０２とやり取りしようと試みている旨が示される場合、タッチスクリーンパネル１０２のタッチ感知機能をアクティブ化するとしてよい。短時間の間に１つの軸に沿って比較的小さな動きの変化が検出されると、例えば、ユーザが装置をタップした旨を示すとしてよい。１以上のアルゴリズムを利用して、ユーザがタッチスクリーンパネル１０２とやり取りを開始する直前であるか否か、または、タッチスクリーンパネル１０２とやり取りしようと現在試みているか否かを判断するとしてよい。このような実施形態によると、処理回路１２４は、ユーザがタッチスクリーンパネル１０２とやり取りを開始する直前である、または、タッチスクリーンパネル１０２とやり取りしようと現在試みていると判断すると、タッチスクリーンパネル１０２のタッチ感知機能を部分的にアクティブ化して、タイマをセットするとしてよい。処理回路１２４は、タイマが切れる前にユーザとのやり取りが実際に検出されると、タッチスクリーンパネル１０２のタッチ感知機能を完全にアクティブ化するとしてよい。タッチスクリーンパネル１０２のタッチ感知機能は、所定時間が経過するまでに（つまり、タイマが切れる前に）ユーザとのやり取りが検出されない場合には、非アクティブ化されるとしてよい。
【００１８】
ユーザがタッチスクリーンパネル１０２とのやり取りを開始する直前である場合にタッチスクリーンパネル１０２のタッチ感知機能をアクティブ化する実施形態では、タッチスクリーンパネル１０２がタッチされる直前であると判断される場合にタッチスクリーンパネル１０２のタッチ感知機能を部分的にアクティブ化するとしてよい。タッチスクリーンパネル１０２のタッチ感知機能が部分的にアクティブ化されると、デューティサイクルが低いスキャンサイクルを利用するとしてよい。こうすることによって、タイマが切れる前にユーザとのやり取りが検出されない場合に非アクティブ化される前に、数サイクルにわたってスキャンが実行されるとしてよい。このような実施形態によると、処理回路１２４は、タッチスクリーンパネル１０２に実際にユーザが入力を行うこと（例えば、パネル上でユーザが選択を行うこと）に基づき、または、タッチイベント検出部１１２から受け取る入力１１３がユーザとのやり取りを示すことに基づき、ユーザとのやり取りを検出するとしてよい。
【００１９】
一部の実施形態によると、タッチイベント検出部１１２は、１以上の加速度計を有するとしてよい。一部の実施形態によると、タッチイベント検出部１１２では２軸形式または３軸形式の加速度計を用いるとしてよい。一部の実施形態によると、１以上の加速度計を装置１００に設けて、１以上の他の目的に利用するとしてよい。一部の実施形態によると、タッチイベント検出部１１２は、動きまたは振動を感知するべく、タッチスクリーンパネル１０２に直接結合されているとしてよい。一部の実施形態によると、タッチスクリーンパネル１０２に直接結合されているタッチイベント検出部は、加速度計１３４と共に、動きまたは振動を感知するべく利用されるとしてよい。
【００２０】
一部の実施形態によると、格納サブシステム１０６は、物理ストレージ１３２と、加速度計１３４と、マイクロコントローラ１３６と、通信インターフェース（ＣＯＭＭ）１３８とを有するとしてよい。物理ストレージ１３２は、加速度計１３４によって落下が検出されると自動的に退避させられるハードディスクドライブであってよい。一部の実施形態によると、加速度計１３４は、タッチイベント検出部として利用されるとしてよく、加速度計１３４の出力はさらに、処理回路１２４にも供給されるとしてよい。他の実施形態では、タッチイベント検出部１１２は、図１に示すように、別個に設けられているセンサ装置であってよい。
【００２１】
一部の実施形態によると、タッチサブシステム１０４は、電荷注入回路１１６と、電荷感知回路１１８と、マイクロコントローラ１１４とを有するとしてよい。電荷注入回路１１６は、タッチスクリーンパネル１０２の一部分に電荷を印加するとしてよい。電荷感知回路１１８は、ユーザとタッチスクリーンパネル１０２とのやり取りによって発生する、タッチスクリーンパネル１０２の一部分での電荷または容量の変化を検出するとしてよい。マイクロコントローラ１１４は、電荷感知回路１１８が示す容量における変化を検出することに応じてデータを生成するとしてよい。タッチサブシステム１０４はさらに、メモリ１２０および通信インターフェース（ＣＯＭ）１２２を有するとしてよい。
【００２２】
このような実施形態によると、マイクロコントローラ１１４は、タッチスクリーンパネル１０２がアクティブである場合、電荷注入回路１１６によってタッチスクリーンパネル１０２上の容量素子を周期的に充電させるとしてよい。マイクロコントローラ１１４はさらに、タッチスクリーンパネル１０２がアクティブである場合、電荷感知回路１１８によって、容量素子を放電させ、容量電荷を測定させるとしてよい。マイクロコントローラ１１４は、ユーザとのやり取りを検出して、タッチスクリーンパネル１０２からユーザ入力を受信するべく、容量素子を充放電するべく周期的にスキャンサイクルを実行するとしてよい。電荷の変化に基づき、ユーザがタッチしたタッチスクリーンパネル１０２上の１以上の位置を特定するとしてよい。このようなスキャンサイクルは、タッチスクリーンパネル１０２全体にわたって実行され、周期的または規則的に実行されるとしてよい。一部の実施形態によると、複数の容量素子を一行毎に順次充電して、一列毎に放電して測定するとしてよい。上記から分かるように、このスキャンサイクルは、無駄な動作であり、ユーザとタッチスクリーンパネル１０２とのやり取りが無い場合には消費電力が増大し過ぎてしまう。
【００２３】
タッチサブシステム１０４を非アクティブ化するには、必要ではないが、スリープ状態になるように処理回路１２４がマイクロコントローラ１１４に指示するとしてよい。マイクロコントローラ１１４は、処理回路１２４がタッチサブシステム１０４をアクティブ化すると、割り込みによってアクティブ化されるとしてよい。一部の実施形態によると、処理回路１２４は、タッチイベント検出部１１２からの入力に基づき、電荷注入回路１１６、電荷感知回路１１８、およびマイクロコントローラ１１４をアクティブ化または非アクティブ化することによって、タッチスクリーンパネル１０２のタッチ感知機能をアクティブ化または非アクティブ化する。他の実施形態によると、処理回路１２４は、スキャンを禁止して、スリープ状態または低電力状態となるようにマイクロコントローラ１１４に指示することによって、タッチスクリーンパネル１０２のタッチ感知機能をアクティブ化または非アクティブ化する。
【００２４】
一部の実施形態によると、タッチスクリーンパネル１０２のタッチ感知機能および表示部１０１が共に眠った状態である場合、ユーザによる最初の入力を見逃す場合、または、検出しない場合がある。このような実施形態によると、タッチスクリーンパネル１０２がアクティブ化されるまで、ユーザ入力を遅延させるとしてよい。
【００２５】
一部の実施形態によると、タッチスクリーンパネル１０２のタッチ感知機能は非アクティブ化されているが表示部１０１がアクティブである場合、視覚的指標、例えば、以下で説明するようなタッチスクリーン非アクティブ指標を利用するとしてよい。このような実施形態によると、表示部１０１がアクティブであるので、ユーザはタッチすべき箇所を知ることができ、ユーザのやり取り（例えば、タッチスクリーンパネル１０２上にユーザの指が留まる時間）に比べて入力１１３が高速に処理されるので、ユーザ入力が検出されるとしてよい。このような実施形態によると、タッチが検出されたか否かをユーザに示すべく視覚的フィードバックが利用されるとしてよい。
【００２６】
一部の実施形態によると、タッチスクリーンパネル１０２のタッチ感知機能が非アクティブ化されているが表示部１０１がアクティブである場合、最初の素早いタップが実際のタッチとして認識されないように、最初の振動が検出された後のガードバンド（例えば、数百ミリ秒）と視覚的指標とを組み合わせる。この期間の後、視覚的指標を削除して、タッチを感知するとしてよい。このような実施形態によると、タッチスクリーンパネル１０２が眠っている旨を視覚的フィードバックが示す場合、ユーザは、どこかをタップしてタッチスクリーンパネル１０２をアクティブ化して、指標が削除されると、タッチスクリーンパネル１０２とのやり取りを行なうことができるようになる。
【００２７】
一部の実施形態によると、タッチスクリーン非アクティブ指標は、タッチスクリーンパネル１０２のタッチ感知機能が非アクティブ化されているか否か（つまり、タッチに対して反応しないか否か）を示すとしてよい。タッチスクリーン非アクティブ指標は、必要ではないが、表示部１０１のスクリーンの端縁に沿って、アルファブレンディング帯状領域を含むとしてよい。タッチスクリーン非アクティブ指標を利用することによって、ユーザは、タッチスクリーンパネル１０２のタッチ感知機能が現在非アクティブ化されていることを認識することができるので、ユーザはタッチスクリーンパネル１０２をタップしてタッチ感知機能をアクティブ化するとしてよい。このような実施形態によると、タッチスクリーン非アクティブ指標は、タッチスクリーンパネル１０２のタッチ感知機能がアクティブである場合には利用されず、または、アクティブ化されると削除されるとしてよい。
【００２８】
一部の実施形態によると、タッチスクリーンパネル１０２のタッチ感知機能は、タッチスクリーンパネル１０２が映画等のメディアを表示している場合、自動的に非アクティブ化されるとしてよい。このような実施形態によると、アルファブレンディング帯状領域をタッチスクリーン非アクティブ指標として利用する場合、表示部１０１が全画面でメディア（例えば、高解像度の映画）を表示している場合には、コンテンツの邪魔にならないように当該指標は利用されないとしてよい。
【００２９】
無線形式の実施形態によると、無線送受信器１１０は、ＩＥＥＥ８０２．１１規格のうちいずれか１つに応じて動作するＷｉ−Ｆｉ送受信器、ＩＥＥＥ８０２．１６規格のうちいずれか１つに応じて動作するＷｉＭＡＸ送受信器、３ＧＰＰ−ＬＴＥ  Ｅ−ＵＴＲＡＮ送受信器、ＧＳＭ送受信器、ＣＤＭＡ送受信器、または、その他のワイド・エリア用またはローカル・エリア用無線通信送受信器であってよい。このような実施形態によると、装置１００は、携帯情報端末（ＰＤＡ）、無線通信機能を持つノート型または携帯可能なコンピュータ、ウェブタブレット、無線電話、スマートフォン、ポケベル、インスタント・メッセージ装置、デジタルカメラ、テレビ、または、無線で情報を送受信するその他の装置であってよい。幾つかの実施形態では装置１００を無線通信装置として説明しているが、装置１００はスタンドアロン型の装置であってもよいし、または、ＬＡＮまたは電話線等の有線インターフェースを介して通信するように構成されているとしてもよく、これは必須ではない。
【００３０】
無線形式の実施形態によると、装置１００は、１以上の指向性または全方向性のアンテナを利用するとしてよい。例えば、ダイポールアンテナ、モノポールアンテナ、パッチアンテナ、ループアンテナ、マイクロストリップアンテナ、または、無線（ＲＦ）信号を送信するのに適したその他の種類のアンテナを利用するとしてよい。一部の実施形態によると、２つ以上のアンテナに代えて、複数の開口が設けられた１つのアンテナを利用するとしてよい。このような実施形態によると、各開口を別々のアンテナと見なすとしてよい。一部の多入力多出力（ＭＩＭＯ）形式の実施形態によると、空間的多様性、および、各アンテナと別の通信局のアンテナとで異なるチャネル特性を活かすべく、複数のアンテナを分離させて設けるとしてもよい。
【００３１】
装置１００は複数の別個の機能素子を備えるものとして図示されているが、これらの機能素子のうち１以上は、組み合わせるとしてよく、複数のソフトウェア構成素子群によって実現されるとしてよい。ソフトウェア構成素子は、例えば、デジタルシグナルプロセッサ（ＤＳＰ）および／またはその他のハードウェア素子を含む処理素子である。例えば、一部の素子は、１以上のマイクロプロセッサ、ＤＳＰ、特定用途向け集積回路（ＡＳＩＣ）、無線集積回路（ＲＦＩＣ）、および、少なくとも本明細書に記載している機能を実行するためのさまざまなハードウェアおよび論理回路の集合体を含むとしてよい。一部の実施形態によると、装置１００の機能素子は、１以上の処理素子で実行されている１以上の処理を意味するとしてもよい。例えば、処理回路１２４は１以上のプロセッサを含むとしてよい。
【００３２】
図２は、一部の実施形態に係る電力管理手順を示す図である。手順２００は、必須ではないが、装置１００（図１）等の装置によって実行されるとしてよい。
【００３３】
動作２０２では、タッチスクリーンパネル１０２（図１）のタッチ感知機能をアクティブ化する。一部の実施形態によると、タッチサブシステム１０４（図１）をアクティブ化するとしてよい。
【００３４】
動作２０４では、タッチイベントタイマをセットまたはリセットする。タッチイベントタイマは、処理回路１２４（図１）によって、または、演算サブシステム１０８（図１）内で実現されるとしてよい。
【００３５】
動作２０６において、ユーザとタッチスクリーンパネル１０２とのやり取りを検出するべく、スキャンサイクルを実行する。一部の実施形態によると、行を充電して、列を感知して、容量の変化を検出するとしてよい。一部の実施形態によると、動作２０６は、電荷注入回路１１６（図１）および電荷感知回路１１８（図１）によって実行されるとしてよい。スキャンサイクルが完了すると、動作２０８を実行するとしてよい。
【００３６】
動作２０８では、スキャンによって得られたデータ（つまり、スキャンデータ）を分析するとしてよく、タッチイベントが示されている可能性がある。一部の実施形態によると、動作２０８は、マイクロコントローラ１１４（図１）によって実行されるとしてよく、タッチイベントを示す情報を処理回路１２４（図１）に供給するとしてよい。タッチイベントが発生すると、動作２０４が実行され、タッチイベントタイマがリセットされる。タッチイベントが発生しない場合、動作２１２が実行される。
【００３７】
動作２１２では、タッチイベントタイマが切れたか否か（つまり、タイマ時間切れとなっているか否か）判断する。タッチイベントタイマが切れていると、少なくとも所定期間内にタッチイベントは発生しなかったことが分かる。動作２１２においてタッチイベントタイマが切れていると判断されると、動作２１４が実行される。動作２１２においてタッチイベントタイマが切れていないと判断されると、動作２０６が実行される。
【００３８】
動作２１４において、タッチスクリーンパネル１０２のタッチ感知機能を非アクティブ化する。一部の実施形態によると、タッチサブシステム１０４は、上述したように、非アクティブ化されるとしてもよく、または、スリープモードとなるとしてもよい。
【００３９】
動作２１６では、タッチイベント検出部１１２（図１）等のタッチイベントセンサからの割り込みが発生したか否かを判断する。割り込みが発生していない場合、タッチスクリーンパネル１０２のタッチ感知機能は非アクティブ化状態（つまり、タッチに対して反応しない状態）のままとする。動作２１６において割り込みが検出されると、動作２１８を実行する。
【００４０】
動作２１８では、タッチイベントセンサからの入力を分析して、ユーザとタッチスクリーンパネル１０２とのやり取りがあるか否かを判断する。一部の実施形態によると、動作２１８では、タッチイベントセンサからの入力を分析して、ユーザがやり取りを開始する直前であるか否か（つまり、ユーザとのやり取りが発生する可能性があるか否か）、または、ユーザが現在タッチスクリーンパネル１０２とやり取りしているか否かを判断する。
【００４１】
動作２２０では、動作２１８でユーザとのやり取りが検出されたか否か、または、ユーザとのやり取りが発生する可能性があると判断したか否かを判断する。ユーザとのやり取りが検出されていない場合、または、発生する可能性があると判断されていない場合、タッチスクリーンパネル１０２のタッチ感知機能は非アクティブ状態のままとなり、動作２１６から動作２２０が繰り返し実行される。動作２２０において、ユーザとのやり取りが検出された、または、ユーザとのやり取りが発生する可能性があると判断される場合、動作２０２を実行して、タッチスクリーンパネル１０２のタッチ感知機能をアクティブ化する。
【００４２】
要約書は、開示された技術の本質および要点を理解しやすくするために要約の記載を要件としている米国特許法施行規則セクション１．７２（ｂ）に従って記載されている。要約書は、請求項の範囲または意味を制限または解釈するために利用されるものではないという理解のもと提出されている。特許請求の範囲に記載する請求項は、発明の詳細な説明に組み込まれるものとし、各請求項はそれぞれ別個の実施形態として存在するものとする。
【図１】
0005575045.tif 000002
【図２】
0005575045.tif 000003